(57)【要約】【課題】生殖成長期での花芽形成を促進するキク科に属する植物の栽培方法を提供する。【解決手段】キク科に属する植物の栽培方法であって、生殖成長期の栽培温度を栄養成長期の栽培温度よりも５℃以上低下させることで、生殖成長期での花芽形成を促進するキク科に属する植物の栽培方法に関する。【選択図】なし【特許請求の範囲】
【請求項１】
キク科に属する植物の栽培方法であって、
明条件時の葉の位置での照度が１００００ｌｘ以下の照度環境下において生殖成長期の栽培温度を栄養成長期の栽培温度よりも５℃以上低下させることで、生殖成長期での花芽形成を促進するキク科に属する植物の栽培方法。
【請求項２】
生殖成長期の栽培温度を栄養成長期の栽培温度よりも７℃以上低下させる請求項１記載のキク科に属する植物の栽培方法。
【請求項３】
生殖成長期の栽培温度が１８℃以下である請求項１又は２記載のキク科に属する植物の栽培方法。
【請求項４】
生殖成長期の栽培温度が１６℃以下である請求項１又は２記載のキク科に属する植物の栽培方法。
【請求項５】
キク科に属する植物が、Ｔａｒａｘａｃｕｍ属に属する植物である請求項１〜４のいずれかに記載のキク科に属する植物の栽培方法。
【請求項６】
キク科に属する植物が、Ｔａｒａｘａｃｕｍ  ｋｏｋｓａｇｈｙｚ、Ｔａｒａｘａｃｕｍ  ｂｒｅｖｉｃｏｒｎｉｃｕｌａｔｕｍである請求項１〜４のいずれかに記載のキク科に属する植物の栽培方法。
【発明の詳細な説明】
【技術分野】
【０００１】
本発明は、キク科に属する植物の栽培方法に関する。
【背景技術】
【０００２】
現在、産業的に利用されている天然ゴムは、パラゴムノキ（Ｈｅｖｅａ  ｂｒａｓｉｌｉｅｎｓｉｓ）由来である。しかしながら、パラゴムノキは栽培可能地域が限られていることから、天然ゴムを産生する代替植物の必要性が叫ばれている。
【０００３】
天然ゴムを産生する代替植物の１つとして、根から天然ゴムの採取が可能であり、また栽培地域として温帯地域も選択可能であるロシアンタンポポ（Ｔａｒａｘａｃｕｍ  ｋｏｋ−ｓａｇｈｙｚ）が注目されており、ゴムの抽出方法の開発が進められている。
【０００４】
一方、目的に合った農作物を新しく生み出す方法として、多くの場合交雑育種方法が用いられる。この方法は異なる性質の品種を交配し（掛け合わせ）、新しい性質を有する品種を作成する方法である。交配のためには、植物体に花を咲かせ、受粉させる必要がある。このように、交雑育種方法を用いる場合には花芽を形成させる必要がある。
【０００５】
植物が花芽形成段階（生殖成長期）に移るためには、（１）植物の年齢、（２）光周期、（３）温度などが重要であることが知られている。
【０００６】
例えば、（２）光周期では、日照時間が一定時間以上になると花芽の形成を開始する長日植物と日照時間が一定時間以下になると花芽の形成を開始する短日植物、そして光周期によらず花芽を形成する中性植物に大別される。
【０００７】
菊は短日植物であるため、商品として売れる大きさまで成長するまでは照明時間を長くし花芽形成を抑制し、大きくなったら照明時間を短くして花芽形成を促進するなどの方法が採られている（例えば、特許文献１）。
【先行技術文献】
【特許文献】
【０００８】
【特許文献１】特開２０１２−３９９０１号公報
【発明の概要】
【発明が解決しようとする課題】
【０００９】
花芽形成を促進させる方法は、これまで、花卉や農作物について検討されていたため、キク科に属する植物であるタンポポにおいて花芽形成を促進させる方法は、これまで検討されていなかった。
そこで、本発明は、前記課題を解決し、生殖成長期での花芽形成を促進するキク科に属する植物の栽培方法を提供することを目的とする。
【課題を解決するための手段】
【００１０】
一般的なタンポポ（セイヨウタンポポ）は、中性植物とされており、日照時間条件以外での花芽形成のコントロール方法が必要になる。そこで、本発明者は、鋭意検討した結果、栽培温度と日照の強さについて着目し、更に種々の検討を行い、キク科に属する植物を栽培する際に、一定の照度以下の環境で生殖成長期の栽培温度を栄養成長期の栽培温度よりも一定温度以上低下させることにより、生殖成長期での花芽形成を促進できることを見出し、本発明を完成した。
【００１１】
すなわち、本発明は、キク科に属する植物の栽培方法であって、明条件時の葉の位置での照度が１００００ｌｘ以下の照度環境下において生殖成長期の栽培温度を栄養成長期の栽培温度よりも５℃以上低下させることで、生殖成長期での花芽形成を促進するキク科に属する植物の栽培方法に関する。
【００１２】
生殖成長期の栽培温度を栄養成長期の栽培温度よりも７℃以上低下させることが好ましい。
【００１３】
生殖成長期の栽培温度が１８℃以下であることが好ましく、生殖成長期の栽培温度が１６℃以下であることがより好ましい。
【００１４】
キク科に属する植物が、Ｔａｒａｘａｃｕｍ属に属する植物であることが好ましい。
【００１５】
キク科に属する植物が、Ｔａｒａｘａｃｕｍ  ｋｏｋｓａｇｈｙｚ、Ｔａｒａｘａｃｕｍ  ｂｒｅｖｉｃｏｒｎｉｃｕｌａｔｕｍであることが好ましい。
【発明の効果】
【００１６】
本発明のキク科に属する植物の栽培方法は、明条件時の葉の位置での照度が１００００ｌｘ以下の照度環境下において生殖成長期の栽培温度を栄養成長期の栽培温度よりも５℃以上低下させることで、生殖成長期での花芽形成を促進することが可能となる。
【発明を実施するための形態】
【００１７】
本発明のキク科に属する植物の栽培方法は、明条件時の葉の位置での照度が１００００ｌｘ以下の照度環境下において生殖成長期の栽培温度を栄養成長期の栽培温度よりも５℃以上低下させることで、生殖成長期での花芽形成を促進するキク科に属する植物の栽培方法である。
【００１８】
本発明では、キク科に属する植物を栽培する際に、明条件時の葉の位置での照度が１００００ｌｘ以下の照度環境下において生殖成長期の栽培温度を栄養成長期の栽培温度よりも５℃以上低下させることで、生殖成長期での花芽形成を促進できる。すなわち、キク科に属する植物の栽培温度を変更するという簡便な手法により、栄養成長期から生殖成長期に切り替えることが可能となる。このように、本発明では、キク科に属する植物の栽培温度を変更するという簡便な手法により、花芽形成をコントロールできる。
【００１９】
また、本発明では、キク科に属する植物の花芽形成をコントロールできるため、キク科に属する植物の花芽形成を促し、多くの花を咲かせることで、交配に必要な花粉・めしべを確保しやすくなり、交配の頻度を多くすることができる。
【００２０】
また、本発明では、温度を下げることでキク科に属する植物の花芽形成を促進させている。そのため、温度を下げなければ花芽形成は抑制した状態でキク科に属する植物を栽培し続けることができる。例えば、生長速度の異なる品種間で交配を試みようとした場合に、生長の早い品種の花芽形成を温度管理により抑制し、生長の遅い品種が十分な大きさになるのを待って、同時期に温度変化による花芽形成を促進させることで、花芽を付ける時期を近づけさせることができ、交配を可能とさせる。このため、交配時期の調整のために、生長速度によって栽培開始時期を変えるといった調整が不要となる。
【００２１】
本発明において、栄養成長期とは、茎や葉が大きくなる期間を意味し、生殖成長期とは、花芽を形成し、花茎が伸長する期間を意味する。通常植物は、栄養成長期を経て生殖成長期へと移行する。また、本発明において、花芽とは、花になる芽を意味する。
【００２２】
本発明の方法が適用できるキク科（Ａｓｔｅｒａｃｅａｅ）に属する植物としては、特に限定されないが、Ｓｏｎｃｈｕｓ属、Ｓｏｌｉｄａｇｏ属、Ｈｅｌｉａｎｔｈｕｓ属、Ｔａｒａｘａｃｕｍ属、Ｌａｃｔｕｃａ属に属する植物等が挙げられる。
【００２３】
Ｓｏｎｃｈｕｓ属に属する植物としては、ノゲシ（Ｓｏｎｃｈｕｓ  ｏｌｅｒａｃｅｕｓ）、オニノゲシ（Ｓｏｎｃｈｕｓ  ａｓｐｅｒ）、ハチジョウナ（Ｓｏｎｃｈｕｓ  ｂｒａｃｈｙｏｔｕｓ）、タイワンハチジョウナ（Ｓｏｎｃｈｕｓ  ａｒｖｅｎｓｉｓ）等が挙げられる。
【００２４】
Ｓｏｌｉｄａｇｏ属に属する植物としては、セイタカアワダチソウ（Ｓｏｌｉｄａｇｏ  ａｌｔｉｓｓｉｍａ）、アキノキリンソウ（Ｓｏｌｉｄａｇｏ  ｖｉｒｇａｕｒｅａ  ｓｕｂｓｐ．  ａｓｉａｔｉｃａ）、ミヤマアキノキリンソウ（Ｓｏｌｉｄａｇｏ  ｖｉｒｇａｕｒｅａ  ｓｕｂｓｐ．  ｌｅｉｐｃａｒｐａ）、キリガミネアキノキリンソウ（Ｓｏｌｉｄａｇｏ  ｖｉｒｇａｕｒｅａ  ｓｕｂｓｐ．  ｌｅｉｐｃａｒｐａ  ｆ．  ｐａｌｕｄｏｓａ）、オオアキノキリンソウ（Ｓｏｌｉｄａｇｏ  ｖｉｒｇａｕｒｅａ  ｓｕｂｓｐ．  ｇｉｇａｎｔｅａ）、オオアワダチソウ（Ｓｏｌｉｄａｇｏ  ｇｉｇａｎｔｅａ  Ａｉｔ．  ｖａｒ．  ｌｅｉｏｐｈｙｌｌａ  Ｆｅｒｎａｌｄ）等が挙げられる。
【００２５】
Ｈｅｌｉａｎｔｈｕｓ属に属する植物としては、ヒマワリ（Ｈｅｌｉａｎｔｈｕｓ  ａｎｎｕｕｓ）、シロタエヒマワリ（Ｈｅｌｉａｎｔｈｕｓ  ａｒｇｏｐｈｙｌｌｕｓ）、ヘリアンサス・アトロルベンス（Ｈｅｌｉａｎｔｈｕｓ  ａｔｒｏｒｕｂｅｎｓ）、ヒメヒマワリ（Ｈｅｌｉａｎｔｈｕｓ  ｄｅｂｉｌｉｓ）、コヒマワリ（Ｈｅｌｉａｎｔｈｕｓ  ｄｅｃａｐｅｔａｌｕｓ）、ジャイアントサンフラワー（Ｈｅｌｉａｎｔｈｕｓ  ｇｉｇａｎｔｅｕｓ）等が挙げられる。
【００２６】
Ｔａｒａｘａｃｕｍ属に属する植物としては、タンポポ（Ｔａｒａｘａｃｕｍ）、エゾタンポポ（Ｔａｒａｘａｃｕｍ  ｖｅｎｕｓｔｕｍ  Ｈ．Ｋｏｉｄｚ）、シナノタンポポ（Ｔａｒａｘａｃｕｍ  ｈｏｎｄｏｅｎｓｅ  Ｎａｋａｉ）、カントウタンポポ（Ｔａｒａｘａｃｕｍ  ｐｌａｔｙｃａｒｐｕｍ  Ｄａｈｌｓｔ）、カンサイタンポポ（Ｔａｒａｘａｃｕｍ  ｊａｐｏｎｉｃｕｍ）、セイヨウタンポポ（Ｔａｒａｘａｃｕｍ  ｏｆｆｉｃｉｎａｌｅ  Ｗｅｂｅｒ）、ロシアンタンポポ（Ｔａｒａｘａｃｕｍ  ｋｏｋｓａｇｈｙｚ）、Ｔａｒａｘａｃｕｍ  ｂｒｅｖｉｃｏｒｎｉｃｕｌａｔｕｍ等が挙げられる。
【００２７】
Ｌａｃｔｕｃａ属に属する植物としては、レタス（Ｌａｃｔｕｃａ  ｓａｔｉｖａ）、アキノノゲシ（Ｌａｃｔｕｃａ  ｉｎｄｉｃａ）等が挙げられる。
【００２８】
なかでも、本発明の方法は、Ｔａｒａｘａｃｕｍ属に属する植物に好適に適用でき、ロシアンタンポポ（Ｔａｒａｘａｃｕｍ  ｋｏｋｓａｇｈｙｚ）、Ｔａｒａｘａｃｕｍ  ｂｒｅｖｉｃｏｒｎｉｃｕｌａｔｕｍにより好適に適用できる。
【００２９】
本発明のキク科に属する植物の栽培方法は、明条件時の葉の位置での照度が１００００ｌｘ以下の照度環境下において生殖成長期の栽培温度を栄養成長期の栽培温度よりも５℃以上低下させることで、生殖成長期での花芽形成を促進する。すなわち、本発明では、栄養成長期の植物の栽培温度を低下させることにより、栄養成長期の植物を生殖成長期へと移行させる。
【００３０】
通常植物は、栄養成長期を経て生殖成長期へと移行する。栄養成長期の植物の入手方法は、特に限定されず、例えば、種子から植物を生育させることにより得られる。また、挿し穂や接ぎ木を生育させることによっても得ることができる。
【００３１】
栄養成長期の栽培温度は、後述する温度差を達成できるかぎり特に限定されないが、好ましくは２０〜２５℃、より好ましくは２２〜２４℃である。上記温度範囲内であると、植物体の生育をより促進できる。
【００３２】
栄養成長期の栽培期間は、特に限定されず、例えば、播種後１〜５カ月である。
【００３３】
本発明では、任意のタイミングで栄養成長期の植物の栽培温度を低下させる。具体的には、栽培温度を栄養成長期の栽培温度よりも５℃以上、好ましくは７℃以上低下させることにより、すなわち、生殖成長期の栽培温度を栄養成長期の栽培温度よりも５℃以上、好ましくは７℃以上低下させることにより、栄養成長期の植物を生殖成長期へと移行させ、生殖成長期での花芽形成を促進する。
【００３４】
上述の通り、（栄養成長期の栽培温度）−（生殖成長期の栽培温度）≧５℃である。（栄養成長期の栽培温度）−（生殖成長期の栽培温度）の上限は特に限定されないが、好ましくは１３℃、より好ましくは１０℃である。
【００３５】
生殖成長期の栽培温度の上限は、上記温度差を達成できるかぎり特に限定されないが、好ましくは２０℃、より好ましくは１８℃、更に好ましくは１６℃である。生殖成長期の栽培温度の下限は、上記温度差を達成できるかぎり特に限定されないが、好ましくは１２℃、より好ましくは１４℃である。上記温度範囲内であると、植物体の成長のスピードも抑制することができ、交配のタイミングをより把握しやすくなる。
【００３６】
生殖成長期の栽培期間は、特に限定されず、例えば、温度変化後０．１〜２カ月である。
【００３７】
本発明では、更に、少なくとも生殖成長期において、明条件時の葉の位置での照度が１００００ｌｘ以下の照度環境下で栽培する必要がある。１００００ｌｘを超えると低温処理を行っても花芽形成の効果が低下する。葉の位置での照度の下限は、好ましくは７０００ｌｘである。照度が７０００ｌｘ未満であると光合成が十分できず、植物の生育に悪影響を与えるおそれがある。ただし、通常の栽培であれば７０００〜８０００ｌｘの照度があれば十分である。
なお、栄養成長期においても生殖成長期と同様の照度環境下で栽培することが好ましい。
【００３８】
光源としては特に限定されず、白色蛍光灯で十分である。
【００３９】
本発明では、栄養成長期及び生殖成長期における上記温度、照度以外の栽培条件は、特に限定されず、従来公知の条件で栽培を行えばよい。また、水耕栽培でも土耕栽培でもよい。
【００４０】
日長条件（明条件）が１２時間以上であることが好ましく、１４時間以上であることがより好ましい。日長条件が１２時間未満であると、光合成が十分にできず植物の栽培生育に悪影響を与えるおそれがある。日長条件の上限値は特に限定されないが、好ましくは１８時間である。
なお、本明細書において、日長条件とは、２４時間のうち、葉の位置での照度が上記好ましい範囲内となる時間を意味する。
【実施例】
【００４１】
実施例に基づいて、本発明を具体的に説明するが、本発明はこれらのみに限定されるものではない。
【００４２】
（実施例１）
ロシアンタンポポ（Ｔａｒａｘａｃｕｍ  ｋｏｋｓａｇｈｙｚ  ＫＡＺ０８−０１５株）の種子を２日間以上４℃で春化処理を行った後、土植えした。
【００４３】
土植え後、２３℃で、明条件１６時間、暗条件８時間の条件下で３カ月栽培した。明条件時の葉の位置での照度は７０００〜８０００ｌｘを維持した。暗条件時の葉の位置での照度は１ｌｘ以下を維持した。
【００４４】
播種後３カ月栽培したロシアンタンポポを１８℃の環境に移し、１カ月以内に花芽が形成された個体数を確認した。なお、照明の条件は変更せずに行った。
【００４５】
（実施例２）
播種後３カ月栽培したロシアンタンポポを１６℃の環境に移した点以外は実施例１と同じ条件で栽培を行い、１カ月以内に花芽が形成された個体数を確認した。
【００４６】
（比較例１）
播種後３カ月栽培したロシアンタンポポを２３℃の環境で更に１カ月栽培した点以外は実施例１と同じ条件で栽培を行い、１カ月以内に花芽が形成された個体数を確認した。
【００４７】
（比較例２）
ロシアンタンポポ（Ｔａｒａｘａｃｕｍ  ｋｏｋｓａｇｈｙｚ  ＫＡＺ０８−０１５株）の種子を２日間以上４℃で春化処理を行った後、土植えした。
【００４８】
土植え後、１６℃で、明条件１６時間、暗条件８時間の条件下で４カ月栽培した。明条件時の葉の位置での照度は７０００〜８０００ｌｘを維持した。暗条件時の葉の位置での照度は１ｌｘ以下を維持した。
【００４９】
（比較例３）
播種後３カ月栽培したロシアンタンポポを２３℃の環境に移した点以外は比較例２と同じ条件で栽培を行い、１カ月以内に花芽が形成された個体数を確認した。
【００５０】
（比較例４）
ロシアンタンポポ（Ｔａｒａｘａｃｕｍ ｋｏｋｓａｇｈｙｚ ＫＡＺ０８−０１５株）の種子を２日間以上４℃で春化処理を行った後、土植えした。
【００５１】
土植え後、２３℃で、明条件１６時間、暗条件８時間の条件下で３カ月栽培した。
明条件時の葉の位置での照度は１８,０００〜２０,０００ｌｘを維持した。暗条件時の葉の位置での照度は１ｌｘ以下を維持した。
【００５２】
播種後３カ月栽培したロシアンタンポポを１６℃の環境に移し、１カ月以内に花芽が形成された個体数を確認した。なお、照明の条件は変更せずに行った。
【００５３】
実施例、比較例の温度条件と結果を表１に示した。
【００５４】
【表１】
2017143769.tif 000002
【００５５】
キク科に属する植物を栽培する際に、生殖成長期の栽培温度を栄養成長期の栽培温度よりも５℃以上低下させることで、生殖成長期での花芽形成を促進できることが分かった。